(57)【要約】      （修正有） 【課題】駐車エリアに使用した場合、芝生等が車のタイヤに踏み潰されることなく、駐車場全面に芝生等を植生することができる緑化駐車場用の緑化パネルを提供する。【解決手段】外枠３，３上にエクスパンドメタルで構成された網状板２をボルト４とボルト４を螺合するネジ孔を有するボルト取付部により着脱自在に設けられた緑化パネル１をそれぞれ連結具で動かないように適数枚組合わせて連結し、当該緑化パネル１の網状板２下に芝生を植生した緑化駐車場を施工する。【選択図】図１
0003169489.tif 000002
【実用新案登録請求の範囲】
【請求項１】
外枠の上部に網状又は格子状の板を設けたことを特徴とする緑化駐車場用の緑化パネル。
【請求項２】
前記網状又は格子状の板を着脱自在に設けたことを特徴とする請求項１記載の緑化駐車場用の緑化パネル。
【請求項３】
植土収納部を設けたことを特徴とする請求項１又は２記載の緑化駐車場用の緑化パネル。
【請求項４】
前記植土収納部の底部に任意形状の排水孔を設けたことを特徴とする請求項３記載の緑化駐車場用の緑化パネル。
【考案の詳細な説明】
【技術分野】
【０００１】
本考案は、緑化駐車場用の緑化パネルに関するものである。
【背景技術】
【０００２】
ヒートアイランド現象の防止や温暖化対策のため、広い面積を有する駐車場を緑化できれば効果的である。しかし駐車場に芝生等を植生しても駐車場のスペースは殆ど車体幅２ｍ、車体長３ｍの車両の駐車エリアに占有され、駐車時の車体下に芝生等を植生してもタイヤ等によって踏み潰され、最終的には芝生等の植物が腐ってしまい、結局、芝生等を植生するのは駐車エリアの一部又は駐車エリア以外の狭いスペースに植生するしかなく、芝生等の植生による緑化の効果が期待できなかった。
【０００３】
また駐車場の全面に点在するように芝生等を植生させる緑化駐車場があるが、芝生を植生した後にローラーで踏み固める等の手間や芝生の交換や芝生刈り等のメンテナンスに不便であり、そのような場合に再度緑化パネルを一から再施工しなければならず、その維持コストがかかっていた。
【考案の開示】
【考案が解決しようとする課題】
【０００４】
そこで、本考案は駐車エリアに使用した場合、芝生等が車のタイヤに踏み潰されることなく、駐車場全面に芝生等を植生することができる緑化駐車場用の緑化パネルを提供することを課題とするものである。
【課題を解決するための手段】
【０００５】
本考案は上記の課題を解決するためになされたもので、請求項１記載の考案は外枠の上部に網状又は格子状の板を設けたことを特徴とする緑化駐車場用の緑化パネルである。
【０００６】
請求項２記載の考案は、請求項１記載の前記網状又は格子状の板を着脱自在に設けたことを特徴とする緑化駐車場用の緑化パネルである。
【０００７】
請求項３記載の考案は、請求項１又は２記載の緑化パネルに植土収納部を設けたことを特徴とする緑化駐車場用の緑化パネルである。
【０００８】
請求項４記載の考案は、請求項３記載の前記植土収納部の底部に任意形状の排水孔を設けたことを特徴とする緑化駐車場用の緑化パネルである。
【考案の効果】
【０００９】
本考案によれば、本考案の緑化パネルの外枠内に設置された芝生等は外枠の上部に設けられた網状又は格子状の板によって車のタイヤに踏み潰されることがなく、駐車場の略全面に芝生を植生することができ、植生した芝生の上に本考案の緑化パネルを置くだけでローラーで踏み固めることなく緑化駐車場を施工することが出来る。
【００１０】
また、前記網状又は格子状の板を着脱自在にすることにより、容易に植生した芝生等のメンテナンスをすることができる。
【００１１】
そして、本考案の緑化パネルの植土収納部に予め芝生等を植生しておけば本考案の緑化パネルを設置するだけで芝生等を植生作業をすることなしに簡単に緑化駐車場を施工することができ、駐車場を移動する場合は本考案の緑化パネルごと移動すればよい。
【００１２】
また植土収納部の底部に排水用の排水孔を設けることにより水が溜まって芝生等が根腐れすることを防止することができる。
【図面の簡単な説明】
【００１３】
【図１】本考案の一実施例を示す平面図。
【図２】本考案の一実施例を示す正面図。
【図３】本考案の緑化駐車場の施工例を示す平面図。
【図４】図３に示すＡ部の拡大断面図。
【図５】本考案の他の一実施例を示す平面図。
【図６】本考案の他の一実施例を示す正面図。
【図７】本考案の他の一実施例を示す底面図。
【図８】本考案の緑化パネルに植土収納部に芝生を植生したことを示す正面図。
【実施例１】
【００１４】
図１と図２は本考案の一実施例を示す平面図と正面図で、１は緑化パネル本体、２はエクスパンドメタルで構成された網状板、３，３は外枠、４，４，４，４はボルト、５，５はボルト４を螺合するネジ孔を有するボルト取付部で、このボルト取付部５，５は前記外枠３，３に固定されている。そして前記網状板２はボルト４とボルト取付部５により外枠３，３に着脱自在に取付けられている。
【００１５】
図３は図１に示す本考案の緑化パネルを数枚組合わせて緑化駐車場を施工した場合の平面図で、それぞれの緑化パネル本体を連結具（図示せず）で動かないように連結されている。
【００１６】
図４は図３に示すＡ部の拡大断面図で、６は網状板２下に植生された芝生である。当該緑化駐車場を施行する際には先に駐車場の施工スペースに芝生を植生した後にその上に本考案の緑化パネルを設置しても良いし、緑化パネルを設置した後に網状板２を取り外して外枠３に囲まれた部分に芝生を植生した後、再び網状板２を取付けても良い。
【００１７】
以上、本考案の緑化パネルによれば、簡単に緑化駐車場を施工することができ、芝生を植生した後にローラーによる整地等の作業を必要としない。また、芝生刈り等のメンテナンスの際には緑化パネルは芝生上に載せているだけなので緑化パネルを移動すればメンテナンス作業を容易に行うことが出来る。更に網状板２は着脱自在に設けられているため、網状板２を取り外せば前記緑化パネルを移動するよりも容易にメンテナンス作業をすることが出来る。
【実施例２】
【００１８】
図５〜図７は本考案の他の一実施例を示す平面図、正面図及び底面図で、７は緑化パネル本体、８はエクスパンドメタルで構成された網状板、９，９は外枠、１０，１０，１０，１０はボルト、１１，１１はボルト１０を螺合するネジ孔を有するボルト取付部で、このボルト取付部１１，１１は前記外枠９，９に固定されている。そして前記網状板８はボルト１０とボルト取付部１１により外枠９，９の上部に着脱自在に取付けられ、外枠９，９の下部には植土収納部１２を形成する排水孔１４，１４，１４，１４，１４，１４を設けた底板１３が取付けられている。
【００１９】
図８は、前記植土収納部１２に芝生を植生した場合の本考案の実施例を示すもので、１５は芝生である。予め植土収納部１２に芝生１５を植生しておけば、駐車場の施工スペースに芝生を植生する作業をすることなく、本考案の緑化パネルを当該駐車場の施工スペースに配置するだけで緑化駐車場を施工することが出来る。
【００２０】
本考案の緑化パネル本体７の底板１３には排水孔１４，１４，１４，１４，１４，１４が設けられているため、芝生１５の排水が適度に行われて芝生が根腐れすることを防止することが出来る。
【００２１】
また駐車場を移動する場合にも本考案の緑化パネルを移動するだけで芝生の植生作業をする必要がなく迅速に緑化駐車場を再施工することが出来る。
【００２２】
また、前記実施例と同様に網状板７は着脱自在に設けられているため、緑化駐車場の施工後の芝生のメンテナンスも容易にすることが出来る。
【００２３】
なお、実施例では網状板７はエクスパンドメタルで構成されているが、網状であればこれに限定されるものではなく、材質も耐久性を満たせばプラスチック等の合成樹脂でもよく、限定されるものではないことは勿論である。また実施例では網状板を用いたが、格子状板としてもよい。
【符号の説明】
【００２４】
１      緑化パネル本体
２      網状板
３      外枠
４      ボルト
５      ボルト取付部
【図１】
0003169489.tif 000003
【図２】
0003169489.tif 000004
【図３】
0003169489.tif 000005
【図４】
0003169489.tif 000006
【図５】
0003169489.tif 000007
【図６】
0003169489.tif 000008
【図７】
0003169489.tif 000009
【図８】
0003169489.tif 000010
【手続補正書】
【提出日】平成23年6月1日(2011.6.1)
【手続補正１】
【補正対象書類名】実用新案登録請求の範囲
【補正対象項目名】請求項３
【補正方法】変更
【補正の内容】
【請求項３】
前記網状又は格子状の板の下部に植土収納部を設けたことを特徴とする請求項１又は請求項２記載の緑化駐車場用の緑化パネル。
【手続補正２】
【補正対象書類名】明細書
【補正対象項目名】０００７
【補正方法】変更
【補正の内容】
【０００７】
請求項３記載の考案は、請求項１又は請求項２記載の前記網状又は格子状の板の下部に植土収納部を設けたことを特徴とする緑化駐車場用の緑化パネルである。